(57)【特許請求の範囲】
【請求項１】
第１吹出口及び第２吹出口を有する筐体と、
前記第１吹出口に連通する第１流路と、
前記第２吹出口に連通する第２流路と、
前記第１流路に流れる第１空気及び、前記第２流路に流れる第２空気を冷却するための水を保持するタンクユニットと、
前記タンクユニットに保持された水の気化熱によって第１空気を冷却する冷却ユニットと、
前記タンクユニットに保持された水を冷却ユニットに供給するための供給水路と、
前記冷却ユニットに残存した水を前記タンクユニットに回収するための回収水路と
を備え、
前記冷却ユニットは、
前記タンクユニットから供給された水との熱交換によって第２空気を冷却し、冷却された第２空気と第１空気との間で顕熱交換することにより、第１空気を冷却する顕熱交換器と、
前記タンクユニットから供給された水の潜熱によって第１空気を冷却する気化フィルタとを含み、
第２空気の流れ方向において前記顕熱交換器よりも下流側に設けられている前記第２流路は、前記第２流路の流路方向を下方から上方に折り返す気液分離機構を含み、
前記気液分離機構の下流側には、第１空気及び第２空気を搬送するためのファンを回転するファンモータが設けられている
ことを特徴とする空調機。
【請求項２】
前記ファンは、第１空気を搬送する第１ファンと、第２空気を搬送する第２ファンとを含み、
前記第１ファン及び前記第２ファンを回転させるファンモータは、前記第１ファン及び前記第２ファンにおいて共用される
ことを特徴とする請求項１に記載の空調機。
【請求項３】
前記第１ファンと前記第２ファンとの間には、前記第１流路と前記第２流路とを仕切る仕切板が設けられている
ことを特徴とする請求項２に記載の空調機。
【請求項４】
前記気化フィルタの上部には、前記タンクユニットから供給された水を保水し、前記気化フィルタに給水する第１給水部が設けられており、
前記第１給水部には、前記気化フィルタに連通する給水孔が設けられており、
前記ファンは、第１空気の流れ方向において前記気化フィルタよりも下流側に設けられている
ことを特徴とする請求項１から請求項３のいずれか１項に記載の空調機。
【請求項５】
第１吹出口及び第２吹出口を有する筐体と、
前記第１吹出口に連通する第１流路と、
前記第２吹出口に連通する第２流路と、
前記第１流路に流れる第１空気及び、前記第２流路に流れる第２空気を冷却するための水を保持するタンクユニットと、
前記タンクユニットに保持された水の気化熱によって第１空気を冷却する冷却ユニットと、
前記タンクユニットに保持された水を冷却ユニットに供給するための供給水路と、
前記冷却ユニットに残存した水を前記タンクユニットに回収するための回収水路と
を備え、
前記冷却ユニットは、
前記タンクユニットから供給された水との熱交換によって第２空気を冷却し、冷却された第２空気と第１空気との間で顕熱交換することにより、第１空気を冷却する顕熱交換器と、
前記タンクユニットから供給された水の潜熱によって第１空気を冷却する気化フィルタとを含み、
前記顕熱交換器は左右方向と上下方向とに連通し、左右方向の開口部の一端は前記第１流路と連通し、上下方向の下端は前記第２流路と連通しており、
前記顕熱交換器の上部には、前記タンクユニットから供給された水を、前記顕熱交換器における第２空気が流れる複数の経路夫々に分流して、前記顕熱交換器に給水する第２給水部が設けられており、
前記第２給水部には、前記タンクユニットから供給される水を受ける水受部と、前記水受部から前記複数の経路夫々に向かって放射状に設けられている複数のリブとが、設けられている
ことを特徴とする空調機。
【請求項６】
前記第２給水部は、第１空気の流れ方向において、前記顕熱交換器における第１空気が流れる前記複数の経路の下流側に設けられている
ことを特徴とする請求項５に記載の空調機。
【請求項７】
前記タンクユニットは、前記供給水路及び前記回収水路に連通している第１タンクと、
前記筐体の外部から供給される水を貯水し、前記第１タンクに給水する第２タンクとを含む
ことを特徴とする請求項１から請求項６のいずれか１項に記載の空調機。
【請求項８】
前記第１タンクの容積は、前記第２タンクの容積よりも小さい
ことを特徴とする請求項７に記載の空調機。
【請求項９】
前記第１タンク内の水量が所定値以下となった場合、前記第２タンク内の水が、前記第１タンクに給水される
ことを特徴とする請求項７又は請求項８に記載の空調機。
【請求項１０】
前記第２タンクから前記第１タンクへの一回分の給水量は、前記第１タンクの容積と、前記供給水路及び前記回収水路の流路体積との合計値の半分以下である
ことを特徴とする請求項７から請求項９のいずれか１項に記載の空調機。
【請求項１１】
前記第１タンクは、前記冷却ユニットよりも下方に設けられ、
前記第１タンクの底面は、前記第２タンクの底面よりも下方に設けられている
ことを特徴とする請求項７から請求項１０のいずれか１項に記載の空調機。
【請求項１２】
前記気化フィルタは、第１空気の流れ方向において前記顕熱交換器よりも下流側に設けられている
ことを特徴とする請求項１から請求項１１のいずれか１項に記載の空調機。
【請求項１３】
前記供給水路は、前記気化フィルタに供給する第１供給水路と、前記顕熱交換器に供給する第２供給水路とを含み、
前記第２供給水路に流れる水の体積流量は、前記第１供給水路に流れる水の体積流量よりも多い
ことを特徴とする請求項１から請求項１２のいずれか１項に記載の空調機。
【発明の詳細な説明】
【技術分野】
【０００１】
本発明は、空調機に関する。
【背景技術】
【０００２】
室内の空気を吸い込み、水の気化熱を利用し雰囲気温度を低下させて冷却した空気を、室内に吹き出す気化冷却式の空調機が知られている（例えば特許文献１）。特許文献１の空調機（冷風扇）は、ケーシング内に配置された送風手段と、吸込口と第１吹出口とを連通し、送風手段によって発生した空気流を第１吹出口に導く第１流路と、吸込口と第２吹出口とを連通し、送風手段によって発生した空気流を第２吹出口に導く第２流路と、第２流路に配置され、水の気化熱により第２流路を流れる空気を冷却する気化手段とを備え、第２流路の気化手段によって冷却された空気流と第１流路を流れる空気流との間で熱交換を行う熱交換器が設けられている。気化手段が備えられている第２流路において、気化手段の下流側には、気化手段によって散布された霧状の水（未蒸発の散布水）及び、気化した水（蒸発した散布水）により絶対湿度が増加した空気が流れる。この湿度が増加した空気は、第２流路の出口となる第２吹出口から排気として吹き出される。熱交換器を介して冷却された第１流路を流れる空気流は、第１吹出口から給気として被空調空間に吹き出される。
【０００３】
特許文献１の空調機において、送風手段によって送風される第２流路を流れる空気は、顕熱交換器が有する複数のチューブ内を通過し、送風手段によって送風される第１流路を流れる空気は、当該複数のチューブの周りを通過することにより、第２流路を流れる空気と、第１流路を流れる空気とが熱交換される。
【先行技術文献】
【特許文献】
【０００４】
【特許文献１】特開２０１４−０９２３３８号公報
【発明の概要】
【発明が解決しようとする課題】
【０００５】
しかしながら、特許文献１の空調機は、気化手段に含まれる気化フィルタを通過した空気は、顕熱交換器によって室内に供給される空気と熱交換された後、第２吹出口から排気されるため効率的に冷却することができない。
【０００６】
発明は斯かる事情に鑑みてなされたものであり、冷却能力を向上させることができる空調機を提供することを目的とする。
【課題を解決するための手段】
【０００７】
本開示の一態様に係る空調機は、第１吹出口及び第２吹出口を有する筐体と、前記第１吹出口に連通する第１流路と、前記第２吹出口に連通する第２流路と、前記第１流路に流れる第１空気及び、前記第２流路に流れる第２空気を冷却するための水を保持するタンクユニットと、前記タンクユニットに保持された水の気化熱によって第１空気を冷却する冷却ユニットと、前記タンクユニットに保持された水を冷却ユニットに供給するための供給水路と、前記冷却ユニットに残存した水を前記タンクユニットに回収するための回収水路とを備え、前記冷却ユニットは、前記タンクユニットから供給された水との熱交換によって第２空気を冷却し、冷却された第２空気と第１空気との間で顕熱交換することにより、第１空気を冷却する顕熱交換器と、前記タンクユニットから供給された水の潜熱によって第１空気を冷却する気化フィルタとを含み、第２空気の流れ方向において前記顕熱交換器よりも下流側に設けられている前記第２流路は、前記第２流路の流路方向を下方から上方に折り返す気液分離機構を含み、前記気液分離機構の下流側には、第１空気及び第２空気を搬送するためのファンを回転するファンモータが設けられている。又は、前記顕熱交換器は左右方向と上下方向とに連通し、左右方向の開口部の一端は前記第１流路と連通し、上下方向の下端は前記第２流路と連通しており、前記顕熱交換器の上部には、前記タンクユニットから供給された水を、前記顕熱交換器における第２空気が流れる複数の経路夫々に分流して、前記顕熱交換器に給水する第２給水部が設けられており、前記第２給水部には、前記タンクユニットから供給される水を受ける水受部と、前記水受部から前記複数の経路夫々に向かって放射状に設けられている複数のリブとが、設けられている。
【０００８】
本態様にあたっては、冷却ユニットとタンクユニットとは、冷却ユニットに残存した水をタンクユニットに回収するための回収水路によって接続されている。冷却ユニットは、タンクユニットに保持された水を気化させ、当該水の気化熱、すなわち潜熱により第１空気を冷却する。この場合、タンクユニットから冷却ユニットに供給された水の一部は、気化せず液体の状態で冷却ユニットに残存するところ、当該残存した液体の水は、回収水路によって、タンクユニットに回収される。冷却ユニットに残存した水についても、第１空気と同様に気化した水の気化熱によって冷却されるものであり、当該冷却ユニットに残存した水を、タンクユニットに回収することにより、タンクユニット内に保持される水の温度を低下させることができる。このように温度が低下したタンクユニット内の水を用いることにより、冷却ユニットにおける冷却効率を向上させることができる。すなわち、冷却ユニットにおいて発生した気化熱を、当該冷却ユニットに残存した水を冷熱媒体として回収し、再利用することにより、空調機の冷却能力を向上させることができる。
【０００９】
本開示の一態様に係る空調機の前記タンクユニットは、前記供給水路及び前記回収水路に連通している第１タンクと、前記筐体の外部から供給される水を貯水し、前記第１タンクに給水する第２タンクとを含む。
【００１０】
本態様にあたっては、タンクユニットは、供給水路及び回収水路に連通している第１タンクと、筐体の外部から供給される水を貯水し、第１タンクに給水する第２タンクとを含む。従って、冷却ユニットに残存した水を回収するにあたり、水が循環される循環経路は、第１タンクを起点及び終点として、第１タンク、供給水路、冷却ユニット、回収水路及び第１タンクの順で形成される。このように第２タンクを循環経路に直接含ませない経路構成とすることにより、第２タンクに貯水される水、すなわち外部から供給される水の水温による水温上昇の影響を低減させ、冷却ユニットにおける冷却効率を更に向上させることができる。
【００１１】
本開示の一態様に係る空調機の前記第１タンクの容積は、前記第２タンクの容積よりも小さい。
【００１２】
本態様にあたっては、第１タンクの容積は、第２タンクの容積よりも小さいため、第２タンクに貯水される水の水温による影響を低減させ、冷却ユニットにおける冷却効率を更に向上させることができる。
【００１３】
本開示の一態様に係る空調機は、前記第１タンク内の水量が所定値以下となった場合、前記第２タンク内の水が、前記第１タンクに給水される。
【００１４】
本態様にあたっては、例えば、第２タンクの給水口を、第１タンクにおける所定の水位の場所に配置することにより、第１タンク内の水の水位が所定以下となり、すなわち第１タンク内の水量が所定量以下となった場合、第２タンク内の水は、第１タンクに給水される。第１タンク内の水は、冷却ユニットにて気化した後、第１空気と共に被空調空間に吹き出され、減少するところ、第１タンク内の水量が所定値以下となった場合、第２タンク内の水が、第１タンクに給水される。これにより、第１タンク内の水が不足することによる冷却効率の低下を防止することができる。
【００１５】
本開示の一態様に係る空調機の前記第２タンクから前記第１タンクへの一回分の給水量は、前記第１タンクの容積と、前記供給水路及び前記回収水路の流路体積との合計値の半分以下である。
【００１６】
本態様にあたっては、第１タンク内の水量が所定値以下となった場合、第２タンク内の所定量の水が、都度、第１タンクに給水される。当該所定量、すなわち第２タンクから第１タンクへの一回分の給水量は、第１タンクの容積と、供給水路及び回収水路の流路体積との合計値の半分以下にしてある。従って、第１タンクと冷却ユニットとの間にて循環する水の温度を比較的低温の状態で安定させることができ、冷却ユニットにおける冷却効率を更に向上させることができる。
【００１７】
本開示の一態様に係る空調機の前記第１タンクは、前記冷却ユニットよりも下方に設けられ、前記第１タンクの底面は、前記第２タンクの底面よりも下方に設けられている。
【００１８】
本態様にあたっては、冷却ユニットよりも下方に設けられ第１タンクの底面は、第２タンクの底面よりも下方に設けられている。従って、第１タンクと冷却ユニットとの間にて循環する水の循環経路において、最も最下部に第１タンクを設けることにより、重力を利用して、冷却ユニットからの水の回収及び、第２タンクからの水の給水を行うことができる。これにより、回収及び給水のためのポンプを不要として消費電力を低減することができる。
【００１９】
本開示の一態様に係る空調機の前記冷却ユニットは、前記タンクユニットから供給された水との熱交換によって第２空気を冷却し、冷却された第２空気と第１空気との間で顕熱交換することにより、第１空気を冷却する顕熱交換器と、前記タンクユニットから供給された水の潜熱によって第１空気を冷却する気化フィルタとを含む。
【００２０】
本態様にあたっては、冷却ユニットは、タンクユニットから供給された水の顕熱によって第２空気を冷却し、冷却された第２空気と第１空気との間で顕熱交換することにより、第１空気を冷却する顕熱交換器と、タンクユニットから供給された水の潜熱によって第１空気を冷却する気化フィルタとを含む。従って、顕熱交換器及び気化フィルタの二段階によって第１空気を冷却することができ、第１吹出口から吹き出される第１空気の温度を効率的に低下させることができる。
【００２１】
本開示の一態様に係る空調機の前記気化フィルタは、第１空気の流れ方向において前記顕熱交換器よりも下流側に設けられている。
【００２２】
本態様にあたっては、第１空気に対する顕熱交換器による冷却能力は、気化フィルタによる冷却能力よりも低いところ、第１空気の流れ方向において、当該気化フィルタを顕熱交換器よりも下流側に設けることにより効率的に第１空気を冷却することができる。すなわち、第１空気の流れ方向において、顕熱交換器及び気化フィルタが、第１流路に設けられるものとなり、まずは顕熱交換器にて第１空気を冷却し、顕熱のみでなく潜熱も交換可能な全熱交換能力を有する気化フィルタによって第１空気を効率的に冷却することができる。
【００２３】
本開示の一態様に係る空調機の前記供給水路は、前記気化フィルタに供給する第１供給水路と、前記顕熱交換器に供給する第２供給水路とを含み、前記第２供給水路に流れる水の体積流量は、前記第１供給水路に流れる水の体積流量よりも多い。
【００２４】
本態様にあたっては、供給水路は、気化フィルタに供給する第１供給水路と、顕熱交換器に供給する第２供給水路とを含み、第２供給水路に流れる水の体積流量は、第１供給水路に流れる水の体積流量よりも多くしてある。すなわち、単位時間における気化フィルタへの給水量は、顕熱交換器への給水量よりも少ない。従って、第１空気と共に被空調空間に吹き出される水蒸気の量を抑制しつつ、顕熱交換器において顕熱によって第２空気を冷却するための水量を多くすることができ、冷却ユニットにおける冷却効率を更に向上させることができる。
【００２５】
本開示の一態様に係る空調機の第２空気の流れ方向において前記顕熱交換器よりも下流側に設けられている前記第２流路は、前記第２流路の流路方向を下方から上方に折り返す気液分離機構を含み、前記気液分離機構の下流側には、第１空気及び第２空気を搬送するためのファンを回転するファンモータが設けられている。
【００２６】
本態様にあたっては、顕熱交換器よりも下流側に設けられている第２流路には、第２流路の流路方向を下方から上方に折り返す気液分離機構を含んでいる。従って、タンクユニットから供給された水と第２空気を、気液分離機構によって分離させ、回収水路を介して分離した水を効率的にタンクユニットに回収することができる。気液分離機構の下流側には、第１空気及び第２空気を搬送するためのファンを回転するファンモータが設けられているため、タンクユニットから供給された水と分離された後の第２空気によって、当該ファンモータを冷却することができる。第２空気は、ファンモータより温度が低いためファンモータの冷却能力に優れる。
【００２７】
本開示の一態様に係る空調機の前記ファンは、第１空気を搬送する第１ファンと、第２空気を搬送する第２ファンとを含み、前記第１ファン及び前記第２ファンを回転させるファンモータは、前記第１ファン及び前記第２ファンにおいて共用される。
【００２８】
本態様にあたっては、ファンは、第１空気を搬送する第１ファンと、第２空気を搬送する第２ファンとを含み、第１ファン及び第２ファンは、単一のファンモータによって回転される。従って、第１ファン及び第２ファンの夫々がファンモータを備えることを不要とし、部品コストの低減、空調機の筐体サイズを小さくし、空調機の軽量化を図ることができる。
【００２９】
本開示の一態様に係る空調機は、前記第１ファンと前記第２ファンとの間には、前記第１流路と前記第２流路とを仕切る仕切板が設けられている。
【００３０】
本態様にあたっては、第１ファンとファンモータとの間には、第１流路と第２流路とを仕切る仕切板が設けられているため、第２空気でファンモータを冷却しつつ、第１空気と第２空気とが混合することを確実に防止することができる。この構成により第１空気がファンモータの熱により温度上昇するのを防ぐことができる。
【００３１】
本開示の一態様に係る空調機の前記気化フィルタの上部には、前記タンクユニットから供給された水を保水し、前記気化フィルタに給水する第１給水部が設けられており、前記第１給水部には、前記気化フィルタに連通する給水孔が設けられており、前記ファンは、第１空気の流れ方向において前記気化フィルタよりも下流側に設けられている。
【００３２】
本態様にあたっては、気化フィルタの上部には第１給水部が設けられており、第１給水部には、気化フィルタに連通する給水孔が設けられている。従って、タンクユニットから供給された水を第１給水部によって一旦、保水する。当該保水された水は給水孔を介して、気化フィルタの上部から滴下されて、気化フィルタに給水される。第１空気を搬送するためのファンは、第１空気の流れ方向において気化フィルタよりも下流側に設けられているため、気化フィルタの内部は、大気圧に対し負圧となる。従って、当該負圧を利用することにより、第１給水部に保水された水は給水孔を介して、効率的に気化フィルタに給水される。
【００３３】
本開示の一態様に係る空調機の前記顕熱交換器は左右方向と上下方向とに連通し、左右方向の開口部の一端は前記第１流路と連通し、上下方向の下端は前記第２流路と連通しており、前記顕熱交換器の上部には、前記タンクユニットから供給された水を、前記顕熱交換器における第２空気が流れる複数の経路夫々に分流して、前記顕熱交換器に給水する第２給水部が設けられており、前記第２給水部には、前記タンクユニットから供給される水を受ける水受部と、前記水受部から前記複数の経路夫々に向かって放射状に設けられている複数のリブとが、設けられている。
【００３４】
本態様にあたっては、顕熱交換器の上部に設けられている第２給水部には、タンクユニットから供給される水を受ける水受部と、水受部から複数の経路夫々に向かって放射状に設けられている複数のリブとが、設けられている。従って、当該タンクユニットから供給される水を、放射状に設けられている複数のリブ夫々によって分流し、分流された水を顕熱交換器における第２空気が流れる複数の経路夫々に滴下させることができる。これにより、顕熱交換器の複数の経路夫々に流れる第２空気と、タンクユニットから供給される水との間における顕熱交換を効率的に行い、当該第２空気に対する冷却効率を向上させることができる。
【００３５】
本開示の一態様に係る空調機の前記第２給水部は、第１空気の流れ方向において、前記顕熱交換器における第１空気が流れる前記複数の経路の下流側に設けられている。
【００３６】
本態様にあたっては、第２給水部は、第１空気の流れ方向において、顕熱交換器における第１空気が流れる複数の経路の下流側に設けられており、すなわち顕熱交換器における第１空気が流れる経路の入口よりも出口の側に偏倚させて設けられている。顕熱交換器における第１空気が流れる複数の経路において、第２給水部に近接するほど、タンクユニットから供給される水によって温度が低下するところ、第２給水部を下流側、すなわち出口側に設けることにより、当該経路における全域に亘って、第１空気と水との温度差を大きくとることができ、当該第１空気に対する冷却効率を更に向上させることができる。
【発明の効果】
【００３７】
空調機の冷却能力を向上させることができる。
【図面の簡単な説明】
【００３８】
【図１】実施形態１に係る空調機の一構成例を示す模式的側断面図である。
【図２】空調機の外観を示す斜視図である。
【図３】気化フィルタの一構成例を示す模式的斜視図である。
【図４】顕熱交換器の第２給水部の一構成例を示す模式的平面図である。
【図５】第２給水部の要部を説明する説明図である。
【発明を実施するための形態】
【００３９】
（実施形態１）
以下、実施の形態について、図面に基づいて説明する。図１は、実施形態１に係る空調機１の一構成例を示す模式的側断面図である。図２は、空調機１の外観を示す斜視図である。空調機１は、箱状の筐体１４を備え、当該筐体１４の底部に設けられたキャスター１４１によって、例えば工場等の被空調空間の床面に載置される。図１に示す空調機１の載置状態を、当該空調機１の通常の使用態様として上下左右を示す。なお、図１は、図２におけるＡ−Ａ線による断面を、図２上にて右側から模式的に示したものである。
【００４０】
空調機１は、水を貯水するタンクユニット７、気化フィルタ２１及び顕熱交換器２２を含む冷却ユニット２を備え、当該気化フィルタ２１によって、タンクユニット７から供給された水の気化熱を用いて雰囲気温度を低下させ、被空調空間を冷却するものであり、例えば気化冷却式の空調機１である。更に空調機１は、顕熱交換器２２によって、タンクユニット７から供給された水の主には顕熱を用いて雰囲気温度を低下させ、被空調空間を冷却する。
【００４１】
空調機１の筐体１４には、被空調空間の空気を吸い込む吸込口３、顕熱交換器２２及び気化フィルタ２１を含む冷却ユニット２を通過し当該冷却ユニット２によって冷却された空気（第１空気）を被空調空間に給気として吹き出す第１吹出口４及び、顕熱交換器２２を通過し水及び第１空気と顕熱交換された空気（第２空気）を排気として吹き出す第２吹出口５が設けられている。
【００４２】
第１吹出口４及び第２吹出口５は、筐体１４の上面に設けられている。空調機１は、第１空気及び第２空気を搬送するためのファンを備え、当該ファンは、第１空気を搬送する第１ファン６１と、第２空気を搬送する第２ファン６２とを含む。
【００４３】
第１ファン６１及び第２ファン６２を含むファンは、例えば、シロッコファン等の遠心ファン又は、プロペラファンであってもよい。第１ファン６１は、第１吹出口４の近傍に設けられており、第２ファン６２は、第２吹出口５の近傍に設けられている。すなわち、空調機１の空気の流れとして、吸込口３を最上流端とし、第１吹出口４及び第２吹出口５を最下流端とした場合、第１ファン６１及び第２ファン６２は、当該空気の流れ方向において、下流側に設けられている。第１ファン６１及び第２ファン６２を下流側に設けることにより、これらファンは、いわゆる吸い込みファンとして機能するものとなり、空調機１における空気の流通経路内を負圧に保つことができる。
【００４４】
第１ファン６１及び第２ファン６２は、単一のファンモータ６を共用しており、ファンモータ６の両端の夫々に設けられたシャフト夫々に連結されている。第２ファン６２と第１ファン６１との間には、仕切板６３が設けられている。当該仕切板６３によって、第１ファン６１によって搬送される第１空気と、第２ファン６２によって搬送される第２空気とが、混合することを確実に防止することができる。
【００４５】
ファンモータ６は、第２ファン６２側に位置している。従って、仕切板６３は、ファンモータ６と第１ファン６１との間に設けられている。このようにファンモータ６を第２ファン６２側に設けることにより、第２ファン６２によって搬送される第２空気、すなわち排気によってファンモータ６を冷却することができる。従って、第１ファン６１によって搬送される第１空気、すなわち給気の温度を上昇させることなく、排気による冷熱を利用してファンモータ６を効率的に冷却することができる。
【００４６】
空調機１には、空気の流通経路として、吸込流路３２、第１流路４１及び第２流路５１が設けられている。吸込流路３２は、吸込口３を起点とし、顕熱交換器２２に連通している。すなわち、吸込流路３２に流れる吸込空気の流れ方向において、吸込流路３２の下流には、顕熱交換器２２が設けられている。
【００４７】
顕熱交換器２２には、第１空気が流れる第１経路２２１と、第２空気が流れる第２経路２２２とが、設けられている。顕熱交換器２２における第１経路２２１と第２経路２２２とは、中空構造を有する複数の金属プレートにより構成され、これら金属プレート夫々を並列に設けることにより構成される。当該中空構造を有する金属プレートは、例えば複数枚のフィンにより構成されるもの又は、扁平管であってもよい。例えば、当該プレートは、伝熱性の良い金属であるアルミニウム、銅等又は、これらを主成分とする合金で形成することで、顕熱交換の効率を向上させることができる。第１経路２２１を構成する金属プレートと、第２経路２２２を構成する金属プレートとは、第１空気及び第２空気の流れ方向に対し垂直となるように積層されて設けられており、これら金属プレートを介して、第１空気及び第２空気との間の顕熱交換が行われる。第１経路２２１は、第１吹出口４に連通している第１流路４１の一部を構成する。第２経路２２２は、第２吹出口５に連通している第２流路５１の一部を構成する。第１経路２２１は図１の左右方向（横方向）に顕熱交換器２２を連通し、第２経路２２２は図１の上下方向（縦方向）に顕熱交換器２２を連通している。つまり、第１経路２２１と第２経路２２２とは、互いに直交している。
【００４８】
吸込流路３２を通過した吸込空気は、顕熱交換器２２に設けられている第１経路２２１及び第２経路２２２の入口から顕熱交換器２２内に流入し、第１経路２２１に流入する第１空気及び、第２経路２２２に流入する第２空気に分流される。すなわち、顕熱交換器２２に設けられている第１経路２２１及び第２経路２２２によって、吸込空気を分流する分流機構が形成されている。
【００４９】
図示にて例示するように第１経路２２１及び第２経路２２２の入口は、顕熱交換器２２内の側面（図示上は左側面）に設けられており、同様に顕熱交換器２２内の側面に設けられている吸込口３と、第１経路２２１及び第２経路２２２の入口とは、吸込流路３２によって連通している。吸込口３と、第１経路２２１及び第２経路２２２の入口との間、又は第１経路２２１の途中には、集塵フィルタ３１が介在して設けられている。
【００５０】
集塵フィルタ３１は、図示にて例示するように、第１経路２２１及び第２経路２２２の入口が形成されている顕熱交換器２２内の側面に貼付けられて設けられるものであってもよい。集塵フィルタ３１を設けることにより、吸込口３から吸込した吸込空気の塵埃を捕集し、空調機１内の空気が流れる流通経路において、塵埃が付着することを抑制することができる。
【００５１】
図示にて例示するように顕熱交換器２２に設けられている第１経路２２１及び第２経路２２２は、これら経路夫々の入口から当該経路の中間地点までは、並行に形成されており、これ以降の領域においては、第１経路２２１に流れる第１空気と、第２経路２２２に流れる第２空気とによって、直交流が形成される。第２経路２２２は、当該直交流が形成される領域を通過した後、顕熱交換器２２の下方に延びて設けられている。すなわち、第２経路２２２の終端となる出口は、顕熱交換器２２に下部に設けられている。
【００５２】
顕熱交換器２２における第２経路２２２の出口の下方には、ドレンパン１３が設けられている。当該ドレンパン１３から第２吹出口５までの第２流路５１は、ドレンパン１３から上方に向かって延設されており、図示の紙面上、顕熱交換器２２の奥側に設けられている。従って、顕熱交換器２２の第２経路２２２及び、ドレンパン１３から第２吹出口５までの第２流路５１によって、上下に折り返す流路が形成される。上述のとおり、顕熱交換器２２の第２経路２２２は、第２流路５１の一部を構成するものであり、第２流路５１に含まれる。従って、第２流路５１は、顕熱交換器２２の上方から下方に向かって延設され、ドレンパン１３が位置する場所を通過後、上方に向かって延設される上下方向の折り返し部を含む。
【００５３】
ドレンパン１３から第２吹出口５までの第２流路５１の下流側には、第２空気を搬送するための第２ファン６２が設けられている。ドレンパン１３から第２吹出口５までの第２流路５１は、上方に向かって延設されており、第２ファン６２はドレンパン１３よりも上部に設けられている。第２ファン６２によって搬送された第２空気は、第２吹出口５から排気（ＥＡ）として吹き出される。
【００５４】
第１経路２２１は、第２経路２２２との直交流が形成される領域にて、下方に延設されている第２経路２２２の領域に並んで、直線状に設けられている。すなわち、第１経路２２１の終端となる出口は、第１経路２２１の入口が設けられた顕熱交換器２２の側面に対し、反対側の側面に設けられている。図示上の例示においては、第１経路２２１は、顕熱交換器２２の左側面から右側面に向かって、直線状に設けられている。
【００５５】
第１空気の流れ方向において、顕熱交換器２２の第１経路２２１の終端、すなわち第１経路２２１の出口の下流側には、気化フィルタ２１が設けられている。気化フィルタ２１は、第１経路２２１に設けられており、顕熱交換器２２と、第１ファン６１との間に設けられている。
【００５６】
気化フィルタ２１は、矩形状のフィルタエレメントの一面を、第１経路２２１の出口が設けられた顕熱交換器２２の側面に対向させて、設けられている。当該気化フィルタ２１から第１吹出口４までの第１流路４１は、気化フィルタ２１から上方に向かって延設されている。気化フィルタ２１から第１吹出口４までの第１流路４１の下流側には、第１空気を搬送するための第１ファン６１が設けられている。第１ファン６１は気化フィルタ２１よりも上部に設けられている。第１ファン６１によって搬送された第１空気は、第１吹出口４から給気（ＳＡ）として、被空調空間に吹き出される。
【００５７】
上述のとおり、空調機１は、気化フィルタ２１及び顕熱交換器２２に供給する水を貯水するタンクユニット７を備え、当該タンクユニット７は、第１タンク７１及び第２タンク７２を含む。第１タンク７１は、例えば、上部に開口部が形成された矩形状の箱体を成し、気化フィルタ２１及びドレンパン１３の下方に設けられている。
【００５８】
第１タンク７１には、冷却ユニット２にて残存した水を回収するための回収水路９を介して、当該回収された水が貯水される。回収水路９は、第１回収水路９１及び第２回収水路９２を含む。第１タンク７１と気化フィルタ２１とは、第１回収水路９１を介して連通されている。第１タンク７１とドレンパン１３とは、第２回収水路９２を介して連通されている。第１回収水路９１及び第２回収水路９２の第１タンク７１側の端部、すなわち第１回収水路９１及び第２回収水路９２の出口は、第１タンク７１の開口部に向けられている。詳細は後述するが、冷却ユニット２にて残存した水は、第１タンク７１から気化フィルタ２１及び顕熱交換器２２に供給された水であって、気化せず液体の状態の残った水である。
【００５９】
気化フィルタ２１及び、顕熱交換器２２の下方に位置するドレンパン１３は、第１タンク７１よりも上部に設けられている。従って、気化フィルタ２１において気化せず液体の状態の残った水は、重力によって第１回収水路９１を介して、第１タンク７１の内部に流れ込む。顕熱交換器２２において気化せず液体の状態の残った水は、ドレンパン１３及び第２回収水路９２を介して、第１タンク７１の内部に流れ込む。
【００６０】
第１タンク７１の内部には、第１タンク７１に貯水された水を気化フィルタ２１及び顕熱交換器２２に供給するためのポンプ１１が設けられている。ポンプ１１は、第１タンク７１の内部に設けられる場合に限定されず、ポンプ１１の本体を第１タンク７１の外部に設け、当該ポンプ１１と第１タンク７１とを連通する水路を介して、第１タンク７１内の水を搬送するものであってもよい。
【００６１】
ポンプ１１は、例えばマイコン等にて構成されるコントローラ１２と通信線により接続されており、コントローラ１２から出力される制御信号に基づき、駆動又は停止する。図示にてコントローラ１２は、空調機１の下部に設けられるものとして示されているが、これに限定されない。コントローラ１２は、例えば、顕熱交換器２２から第２吹出口５までの第２流路５１を形成する流路壁の外周面の側に設けられ、当該第２流路５１の流路壁を介して、第２空気によって冷却されるものであってもよい。
【００６２】
ポンプ１１と、気化フィルタ２１及び顕熱交換器２２とは、供給水路８によって連通されている。従って、ポンプ１１及び供給水路８を介して、第１タンク７１と、気化フィルタ２１及び顕熱交換器２２とは、連通している。供給水路８は、第１供給水路８１及び第２回収水路９２を含み、気化フィルタ２１及び顕熱交換器２２の近傍において第１供給水路８１及び第２回収水路９２に分岐されている。第１供給水路８１は、気化フィルタ２１に連通している。第２供給水路８２は、顕熱交換器２２に連通している。
【００６３】
第１供給水路８１から供給された水は、気化フィルタ２１の上部に設けられている第１給水部２１１によって一旦、保水され、第１給水部２１１に設けられた給水孔２１２から気化フィルタ２１に滴下され、気化フィルタ２１内に浸透する。第２回収水路９２から供給された水は、顕熱交換器２２の上部に設けられている第２給水部２２３を介して、顕熱交換器２２の第２経路２２２の内部に滴下される。第１給水部２１１は気化フィルタ２１の一部として形成される。一例として、気化フィルタ２１は、装着位置から筐体１４外部へ着脱可能な構成を採用してもよい。ユニット内に給水孔２１２を含むことで給水孔２１２が目詰まりした場合も、ユニットを本体から取り外すことで清掃可能である。
【００６４】
第２給水部２２３は、顕熱交換器２２の第２経路２２２の入口上方の第１経路２２１の下流側に位置している。すなわち、第２給水部２２３は、第１経路２２１の入口よりも出口の側に偏倚させて、第２経路２２２の入口上方に設けられている。顕熱交換器２２の第１経路２２１において、第２給水部２２３に近接するほど、第１タンク７１から供給される水によって温度が低下する。第１経路２２１の入口における第１空気の温度は、被空調空間の室温に相当するものであり、第１経路２２１内にある第１空気の温度分布において、最も高い温度となる。これに対し、第１経路２２１の下流側、すなわち第１経路２２１の出口側に偏倚させて第２給水部２２３を設けることにより、第１経路２２１の全域に亘って、第１空気と水との温度差を大きくとることができ、第１空気に対する冷却効率を向上させることができる。
【００６５】
図示にて例示するにように本実施形態においては、２つの第２給水部２２３が顕熱交換器２２の上部に設けられているため、第２供給水路８２は、２つの第２給水部２２３夫々に対応して２分岐してあるが、これに限定されない。例えば、１つの第２給水部２２３が顕熱交換器上部に備えられ、第２供給水路８２は、分岐されていない構成であってもよい。顕熱交換器２２の上部に設ける第２給水部２２３を３つ以上とし、当該第２給水部２２３の個数に応じて第２供給水路８２を分岐されるものであってもよい。又は、顕熱交換器２２の上部に設ける第２給水部２２３を１つとし、第２給水部２２３の分岐を不要とするものであってもよい。
【００６６】
第１タンク７１に設けられたポンプ１１によって、第１タンク７１から気化フィルタ２１及び顕熱交換器２２に搬送され、気化フィルタ２１及び顕熱交換器２２にて気化せず液体の状態の残った水は、重力によって第１タンク７１に還流される。すなわち、第１タンク７１、供給水路８、冷却ユニット２、及び回収水路９による水の循環水路が形成される。
【００６７】
供給水路８は、冷却ユニット２に含まれる気化フィルタ２１及び顕熱交換器２２に応じて、第１供給水路８１及び第２供給水路８２に分岐される。回収水路９は、冷却ユニット２に含まれる気化フィルタ２１及び顕熱交換器２２に応じて、第１回収水路９１及び第２回収水路９２に分岐される。従って、循環水路は、第１供給水路８１、気化フィルタ２１及び第１回収水路９１による気化フィルタ２１系水路と、第２供給水路８２、顕熱交換器２２の第２経路２２２、第２回収水路９２による顕熱交換器２２系水路とが並列に構成された水路を含む。
【００６８】
ポンプ１１の駆動によって搬送される水の単位時間あたりの体積流量において、気化フィルタ２１系水路である第１供給水路８１の体積流量は、顕熱交換器２２系水路である第２供給水路８２の体積流量よりも少なくしてある。例えば、第１供給水路８１の体積流量は０．３Ｌ／ｍｉｎとし、第２供給水路８２の体積流量は３Ｌ／ｍｉｎとして、第１供給水路８１の体積流量は、第２供給水路８２の体積流量の１／１０とするものであってもよい。これにより、第１空気と共に被空調空間に吹き出される水蒸気の量を抑制しつつ、顕熱交換器２２において顕熱によって第２空気を冷却するための水量を多くすることができ、冷却ユニット２における冷却効率を更に向上させることができる。
【００６９】
第１タンク７１の外周面、すなわち第１タンク７１の底板及び側板の外面には、断熱部材７１１が貼付されているものであってもよい。上述のとおり、第１タンク７１には、気化フィルタ２１から回収された水が貯水されるものであり、当該水は、気化熱によって冷却されている。第１タンク７１の外周面に断熱部材７１１を設けることにより、第１タンク７１の底板及び側板を介して、気化フィルタ２１から回収された水と、第１タンク７１の周辺空気との間における熱交換を抑制し、当該気化フィルタ２１から回収された水の水温が上昇することを抑制することができる。同様に、気化フィルタ２１と第１タンク７１とを連通する第１回収水路９１の外周面においても、断熱部材７１１が貼付されているものであってもよい。
【００７０】
第２タンク７２は、例えば矩形状の箱体を成し、底面に設けられた給水孔２１２を下方に向けて、第１タンク７１よりも上方に設けられている。第２タンク７２は、例えば筐体１４に対し着脱可能に設けられており、筐体１４から外した状態にて水道水等を補充した後、筐体１４内に収納されるものであってもよい。又は、第２タンク７２には、筐体１４の外部からの水の補充を受付ける弁体が設けられており、当該弁体を介して水道水等が補充されるものであってもよい。第２タンク７２の容積は、第１タンク７１の容積よりも大きい。本実施形態においては、第２タンク７２は２つ設けられており、２つの第２タンク７２の容積の合計値は、第１タンク７１の容積よりも大きい。第２タンク７２の個数は２つに限定されず、１つ又は３つ以上であってもよい。すなわち、第２タンク７２の個数は問わず、第１タンク７１の容積は、第２タンク７２の容積の合計値よりも小さいものであればよい。つまり、循環される水の量が少ない状態であるため、水の温度が低い状態を維持しやすい構成を採用している。
【００７１】
第２タンク７２は、第１タンク７１よりも上方に設けられており、すなわち第２タンク７２の底面は、第１タンク７１の底面よりも上方に位置してある。第２タンク７２は、第１タンク７１の水位が所定値以下となった場合、所定量の水を第１タンク７１に給水する。すなわち、第２タンク７２は、第１タンク７１に貯水されている水量が所定値以下となった場合、都度、所定量の水を第１タンク７１に給水することにより、第１タンク７１内の水が不足又は枯渇することを防止することができる。一例として、第２タンク７２から第１タンク７１への給水するための開口部が、第１タンク７１の水面より低い位置にある場合は、タンク内部が大気圧よりも負圧となり給水がされず、第１タンク７１の水面より高い位置にある場合は、開口部から第２タンク７２に空気が入り込み、第１タンク７１へ給水される仕組みを採用すればよい。または、コントローラ１２により制御可能な電磁弁と、第１タンク７１の水面の高さを検知するセンサとを備え、センサにより水面の高さが所定の高さよりも低くなったことを検知した場合は、電磁弁を一定時間開放する仕組みを採用してもよい。
【００７２】
第２タンク７２が、第１タンク７１の水位が所定値以下となった都度、第１タンク７１に給水する所定量の水、すなわち一回分の給水量は、第１タンク７１の容積と、供給水路８及び回収水路９の流路体積との合計値の半分以下としてある。上述のとおり、第１タンク７１には、気化フィルタ２１から回収された水が貯水されるものであり、気化フィルタ２１から回収された水は、気化熱により冷却されている。従って、第２タンク７２から第１タンク７１への一回分の給水量を、第１タンク７１の容積と、供給水路８及び回収水路９の流路体積との合計値の半分以下とすることにより、第１タンク７１と冷却ユニット２との間にて循環する水の水温が、比較的に低温となるように安定させることができる。
【００７３】
空調機１は、被空調空間の空気を吸込口３から吸込し、吸込された吸込空気は、吸込流路３２及び集塵フィルタ３１を通過して、顕熱交換器２２に流入する。吸込流路３２の出口に対応して、顕熱交換器２２の第１経路２２１（ＳＡ：給気側経路）及び第２経路２２２（ＥＡ：排気側経路）の入口が、顕熱交換器２２の側面に設けられており、吸込空気は、第１経路２２１を流れる第１空気（ＳＡ）と、第２経路２２２を流れる第２空気（ＥＡ）とに分流される。
【００７４】
第２経路２２２には、顕熱交換器２２の上部に設けられた第２給水部２２３を介して、第１タンク７１から供給された水が滴下される。すなわち、第２経路２２２は、第２空気と、第２給水部２２３から滴下された水とが、混在する状態となる。第１タンク７１に貯水されている水は、気化フィルタ２１から回収した水であり、気化熱により冷却されている水である。従って、第１タンク７１から供給された水の水温は、第２経路２２２に流入した直後の第２空気の温度よりも低い。第２空気は、第２給水部２２３から滴下された水との間で顕熱を交換し、すなわち当該水によって冷却される。又、第２給水部２２３の構造に関する詳細は後述するが、第２給水部２２３から滴下された水は、第２経路２２２を構成する金属プレート夫々に分配されて、当該金属プレートの内部に滴下するため、第２空気に接する水の表面積は、増加する。これにより、第２給水部２２３から滴下された水の一部は気化し、当該気化熱によっても、第２空気は冷却される。
【００７５】
顕熱交換器２２の第１経路２２１に流れる第１空気と、第２経路２２２に流れる第２空気とは、直交流を形成しており、第１空気と第２空気との間で顕熱交換がされる。上述のとおり、第２経路２２２に流れる第２空気は、第１タンク７１から供給された水によって冷却されており、第１空気は、第１タンク７１から供給された水によって冷却された第２空気によって、冷却される。
【００７６】
顕熱交換器２２の第１経路２２１を通過した第１空気は、顕熱交換器２２から第１吹出口４までの第１流路４１に流入する。当該第１流路４１において、顕熱交換器２２の下流側には気化フィルタ２１が設けられており、第１空気は気化フィルタ２１を通過する。
【００７７】
気化フィルタ２１には、気化フィルタ２１の上部に設けられた第１給水部２１１を介して、第１タンク７１から供給された水が滴下される。第１流路４１内は負圧に保たれているので、第１タンク７１から供給された水は、第１給水部２１１の底面に設けられた給水孔２１２から気化フィルタ２１の内部に吸い込まれ、気化フィルタ２１内に浸透する。気化フィルタ２１に浸透した水は、第１空気が気化フィルタ２１を通過することにより気化が促進され、気化、すなわち蒸発して水蒸気となって第１空気に含有される。当該気化熱により、第１空気は冷却され、第１空気の温度は低下する。冷却された第１空気は、第１ファン６１によって第１吹出口４から、給気（ＳＡ）として被空調空間に吹き出される。
【００７８】
このような構成とすることにより、給気（ＳＡ）として被空調空間に吹き出される第１空気に対し、顕熱交換器２２による一次冷却、及び気化フィルタ２１による二次冷却を含む２段階の冷却を行うことができる。従って、例えば、気化フィルタ２１のみを用いる直接気化方式と比較して、第１空気の温度を更に低下させることができる。
【００７９】
第１タンク７１から気化フィルタ２１に供給された水の一部は、気化することなく、液体の水として気化フィルタ２１内に残存する。当該残存した水についても、気化熱により冷却されている。気化フィルタ２１内に残存した水は、重力によって気化フィルタ２１の下方に移動し、気化フィルタ２１の下方に設けられた第１回収水路９１を介して、第１タンク７１に回収される。このように気化フィルタ２１内に残存した水を回収することにより、第１タンク７１に貯水される水の温度を低下させ、比較的に低温となるように安定させることができる。
【００８０】
上述のとおり、第１タンク７１に貯水される水は、顕熱交換器２２及び気化フィルタ２１に供給されるものであり、当該第１タンク７１に貯水される水を低温となるように安定させることにより、顕熱交換器２２及び気化フィルタ２１の冷却能力を向上させることができる。
【００８１】
顕熱交換器２２の第２経路２２２に流入した第２空気は、第２給水部２２３から滴下して給水された水が混合され、顕熱交換器２２の下方に位置する第２経路２２２の出口に向かって、搬送される。第２経路２２２は、第１経路２２１との直交流が形成される領域を通過した後、顕熱交換器２２の下方に向かって延設されているため、第２給水部２２３から給水された水が混合した第２空気は、顕熱交換器２２の上方から下方に向かって流れる。
【００８２】
顕熱交換器２２の第２経路２２２の出口の下流側には、ドレンパン１３が設けられており、ドレンパン１３から第２吹出口５までの第２流路５１は、ドレンパン１３から上方に向かって延設されている。第２流路５１は、図１の奥行き方向である後方向に形成されている。従って、第２給水部２２３から給水された水が混合した第２空気は、顕熱交換器２２の第２経路２２２の出口から流出した後、ドレンパン１３がある地点を最下点として、上下に折り返して流れるものとなる。すなわち、顕熱交換器２２の第２経路２２２を含む第２流路５１は、顕熱交換器２２の上方から下方に延び、ドレンパン１３が位置する場所を通過後、上方に向かって延設された上下方向の折り返し部を含む。
【００８３】
第２給水部２２３から給水された水が混合した第２空気が、当該折り返し部を通過する際、すなわち下方への流れ方向から、上方への流れ方向に変化するにあたり、遠心力が発生する。第２空気と共に流れる水は、空気よりも比重が大きいため、遠心力により、折り返し部の外周側に偏ることにより、第２空気から分離、すなわち気液分離されるものとなる。
【００８４】
第２空気から分離（気液分離）された水は、ドレンパン１３に一旦、保水され、ドレンパン１３の下部に設けられた第２回収水路９２を介して、第１タンク７１に回収される。なお、顕熱交換器２２の第２経路２２２の内壁面に付着した水も、重力によって第２経路２２２の出口に移動し、当該出口から滴下することにより、ドレンパン１３に保水され、第２回収水路９２を介して、第１タンク７１に回収される。
【００８５】
顕熱交換器２２の第２経路２２２における上方から下方に延設される部分、第２経路２２２の出口の下方に設けられたドレンパン１３、及びドレンパン１３から上方に向かって延設される第２流路５１によって、第２給水部２２３から給水された水が混合した第２空気から、当該水を分離する気液分離機構が構成される。当該気液分離機構によって、第２空気から水を分離することにより、当該第２空気の絶対湿度が増加することを抑制することができる。
【００８６】
ドレンパン１３を通過した第２空気は、ドレンパン１３から第２吹出口５までの第２流路５１に流入する。第２流路５１は、例えば、顕熱交換器２２の側面と、当該側面に対向する筐体１４の内面との間に設けられており、第２空気は、第２流路５１を介して、ドレンパン１３から、ファンモータ６及び第２ファン６２が載置されているファン室に搬送される。すなわちファンモータ６は、第２流路５１の途中に設けられているため、第２空気によって冷却される。ファンモータ６は、気液分離機構の下流側に設けられているため、水が分離された後の第２空気によって、当該ファンモータ６を効率的に冷却することができる。ファンモータ６を冷却した第２空気は、第２吹出口５から排気として吹き出される。
【００８７】
図３は、気化フィルタ２１の一構成例を示す模式的斜視図である。例えば、気化フィルタ２１は着脱可能であって、図３は気化フィルタ２１を清掃するために筐体１４から取り外された状態である。気化フィルタ２１は、例えば矩形の板状を成し、レーヨン・ポリエステル、不織布等によって成形されている。気化フィルタ２１は、吸水性を有し、第１給水部２１１から給水された水が気化フィルタ２１の全面に浸透することにより、当該水の気化を促進する。
【００８８】
第１給水部２１１は、上側に開口部を有する箱体を成し、気化フィルタ２１の上部に載置されている。箱体の底板は矩形状を成し、当該底板には、長手方向に沿って複数の給水孔２１２が、設けられている。
【００８９】
第１給水部２１１の開口部には、第１タンク７１から延設された供給水路８が分岐された第１供給水路８１が、連通してある。第１供給水路８１から供給された水は、箱体を成す第１給水部２１１に一旦、保水され、給水孔２１２から気化フィルタ２１に滴下して、気化フィルタ２１内に浸透する。
【００９０】
気化フィルタ２１は、第１空気の流れ方向において、第１ファン６１よりも上流側の第１流路４１に設けられている。従って、気化フィルタ２１内は、大気圧よりも負圧となり、第１給水部２１１に一旦、保水された水は、給水孔２１２から気化フィルタ２１内に吸い込まれるため、当該水を気化フィルタ２１内に効率的に浸透させることができる。つまり、ファンの回転数および風速などによる負圧の程度によって給水量が調節可能な構成が採用されている。本実施形態では負圧となることを利用して給水する仕組みを採用しているが、水の自重により給水される仕組みなど種々の構成を採用することもできる。
【００９１】
図４は、顕熱交換器２２の第２給水部２２３の一構成例を示す模式的平面図である。図５は、第２給水部２２３の要部を説明する説明図である。顕熱交換器２２の上面には、平面視にて矩形の箱状を成す第２給水部２２３が、２つ並んで設けられている。上述のとおり、第２給水部２２３夫々は、第１経路２２１の下流側に設けられている。第２給水部２２３夫々は、上面の長手方向を、第１経路２２１及び第２経路２２２の経路方向に対し直角となるように位置させて、顕熱交換器２２の上面に載置されている。
【００９２】
第２給水部２２３の上面には、円筒状の水受部２２４と、水受部２２４から放射状に延びる複数のリブ２２５が設けられている。水受部２２４は、当該上面における長手方向において、一方に偏倚して設けられている。水受部２２４には、第１タンク７１から延設された供給水路８が分岐された第２供給水路８２が、連通してある。
【００９３】
第２供給水路８２から供給された水は、水受部２２４にて受けられた後、当該水受部２２４から放射状に延びる複数のリブ２２５沿って分流され、分流された水は、顕熱交換器２２の第２経路２２２の内部に滴下される。すなわち、第２給水部２２３は、顕熱交換器２２の第２経路２２２を構成する複数の金属プレート夫々に、第１タンク７１から供給された水を散水する散水部として機能する。
【００９４】
水受部２２４から放射状に延びる複数のリブ２２５夫々は、等間隔のピッチで設けられており、当該ピッチは、例えば６ｍｍである。複数のリブ２２５夫々は、水受部２２４から上面における長辺側の縁部に向かって、一回以上折り曲げられることにより、Ｌ字状、コの字状（Ｃ字状）又はクランク状に形成されている。
【００９５】
複数のリブ２２５夫々は、上面の長辺側の縁部に近接した地点にて、二本の平行なリブ２２５に分岐されている。分岐された二つリブ２２５は、第２給水部２２３の上面から側面に向かって折り曲げられ、当該側面の上方から下方に向けて延設されている。
【００９６】
第２給水部２２３の上面において、水受部２２４が設けられている側の短辺とは逆の短辺の側に、Ｖ字状の切欠き部が設けられている。水受部２２４から、Ｖ字状の切欠き部が設けられた短辺の側に向かって延設されている一部のリブ２２５は、当該Ｖ字状の切欠き部によって形成される内壁面に向かって折り曲げられ、当該内壁面の上方から下方に向けて延設されている。
【００９７】
長辺側となる夫々の側面及び、Ｖ字状の切欠き部によって形成される内壁面に設けられた平行の二本のリブ２２５を、縦リブとする。当該縦リブは、等間隔となるように側面及び内壁面にて、並設されている。長辺側となる夫々の側面において、一方の側面に設けられた縦リブと、他方の側面に設けられた縦リブとは、側面視にて重ならないように、千鳥状に設けられている。すなわち側面視にて、一方の側面に設けられた縦リブと当該縦リブに隣接する縦リブとの間に、他方の側面に設けられた縦リブが位置するように、夫々の側面の縦リブは、設けられている。同様にＶ字状の切欠き部によって形成される内壁面においても、互いに向かい夫々の内壁面に設けられた夫々の縦リブは、千鳥状に設けられている。
【００９８】
平行な二本のリブ２２５により構成される縦リブは、顕熱交換器２２の第２経路２２２に対応して設けられている。図５に示すとおり、縦リブの延びる方向と、第１経路２２１及び第２経路２２２を構成する金属プレート夫々の上下方向とは、一致するように第２給水部２２３は、顕熱交換器２２の上部に載置されている。縦リブを構成する二本のリブ２２５夫々が、隣り合う２つの第２経路２２２夫々に位置するように、第２給水部２２３は、設けられている。縦リブを構成する二本のリブ２２５の間に第１経路２２１が位置するように、第２給水部２２３は、設けられている。
【００９９】
水受部２２４から分流された水は、第２給水部２２３の上面に放射状に設けられたリブ２２５と当該リブ２２５に隣接する間を流れる。第２給水部２２３の上面から、側面又は、Ｖ字状の切欠き部によって形成される内壁面に沿って下方に流れ落ちる水は、縦リブを構成する二本のリブ２２５の外面側を伝って流れ落ちる。縦リブを構成する二本のリブ２２５夫々は、隣り合う２つの第２経路２２２夫々に位置するようにしてあるので、二本のリブ２２５の外面側を伝って流れ落ちる水を、隣接する第２経路２２２夫々に滴下することができる。
【０１００】
上面に設けられるリブ２２５間のピッチを確保するため、側面に形成することができる縦リブの個数も制限される。従って、一方の側面の側にて、水が滴下されない第２経路２２２が生じる。これに対し、夫々の側面に設けられる縦リブは、千鳥状に形成してあるため、一方の側面の側にて水が滴下されなかった第２経路２２２に対し、他方の側面に設けられている縦リブによって当該第２経路２２２に水を滴下することができる。同様にＶ字状の切欠き部によって形成される内壁面夫々において、千鳥状に設けられた縦リブによって、対応する第２経路２２２夫々に水を滴下することができる。このように千鳥状に設けられた縦リブによって、上面に設けられるリブ２２５間のピッチを十分に確保しつつ、顕熱交換器２２における全ての第２経路２２２に、第１タンク７１から供給された水を滴下し、顕熱交換器２２における冷却能力を向上させることができる。
【０１０１】
本実施形態において冷却ユニット２は、第１回収水路９１及び第２回収水路９２によって、残存した水を第１タンク７１に戻す構成を採用したが、第１回収水路９１を第２給水部２２３に接続しさらに第１回収水路９１にポンプを備えることで、第２回収水路９２のみを第１タンク７１に接続する構成を採用してもよい。これにより、循環する水をより効率的に冷却することが可能になる。同様に冷却ユニット２および冷却ユニット２内の水の流路形状については種々の構成を採用することも可能である。また、冷却ユニット２は種々の形態の熱交換器を適応可能である。一例としては、少なくとも第１空気または第２空気のいずれかと水との間で熱交換をしていたが、単に水を冷却する構成を気化フィルタ２１または顕熱交換器２２の代替、または、付加的に備えていてもよい。
【０１０２】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【０１０３】
１  空調機
１１  ポンプ
１２  コントローラ
１３  ドレンパン
１４  筐体
１４１  キャスター
２  冷却ユニット
２１  気化フィルタ
２１１  第１給水部
２１２    給水孔
２２  顕熱交換器
２２１  第１経路
２２２  第２経路
２２３  第２給水部
２２４  水受部
２２５  リブ
３  吸込口
３１  集塵フィルタ
３２  吸込流路
４  第１吹出口
４１  第１流路
５  第２吹出口
５１  第２流路
６  ファンモータ
６１  第１ファン（ファン）
６２  第２ファン（ファン）
６３  仕切板
７  タンクユニット
７１  第１タンク
７１１  断熱部材
７２  第２タンク
８  供給水路
８１  第１供給水路
８２  第２供給水路
９  回収水路
９１  第１回収水路
９２  第２回収水路
【要約】
【課題】冷却能力を向上させることができる空調機を提供する。
【解決手段】空調機は、第１吹出口及び第２吹出口を有する筐体と、前記第１吹出口に連通する第１流路と、前記第２吹出口に連通する第２流路と、前記第１流路に流れる第１空気及び、前記第２流路に流れる第２空気を冷却するための水を保持するタンクユニットと、前記タンクユニットに保持された水の気化熱によって第１空気を冷却する冷却ユニットと、前記タンクユニットに保持された水を冷却ユニットに供給するための供給水路と、前記冷却ユニットに残存した水を前記タンクユニットに回収するための回収水路とを備える。
【選択図】図１【図１】
0006881623.tif 000002
【図２】
0006881623.tif 000003
【図３】
0006881623.tif 000004
【図４】
0006881623.tif 000005
【図５】
0006881623.tif 000006